(57)【要約】【課題】複数個の整理ケースを嵌入凸部と嵌入凹部との嵌合により上下複数段状に積み重ね連結して使用することができ、この積み重ねにより複数個の引出体を使用することができ、複数個の整理ケースを用意して積み重ね個数も自由に選択することができ、配置形態に応じて任意に整理ケースの積み重ね個数を選択することができ、それだけ使用の融通性を高めることができる。【解決手段】前面が開口した箱状に形成された合成樹脂製の外ケース体２と外ケース体に引出収納自在に配置された合成樹脂製の引出体３とからなる複数個の整理ケース１からなり、各整理ケースの上面に複数個の嵌入凸部４を形成すると共に各整理ケースの底面に嵌入凸部が嵌合可能な複数個の嵌入凹部５を形成してなる。【選択図】図１
0003110297.tif 000002
【実用新案登録請求の範囲】
【請求項１】
前面が開口した箱状に形成された合成樹脂製の外ケース体と該外ケース体に引出収納自在に配置された合成樹脂製の引出体とからなる複数個の整理ケースからなり、上記各整理ケースの上面に複数個の嵌入凸部を形成すると共に該各整理ケースの底面に該嵌入凸部が嵌合可能な複数個の嵌入凹部を形成してなることを特徴とする組立式整理ケース。
【請求項２】
前面が開口した箱状に形成された合成樹脂製の外ケース体と該外ケース体に引出収納自在に配置された合成樹脂製の引出体とからなる複数個の整理ケースからなり、上記各整理ケースの底面に複数個の嵌入凸部を形成すると共に該各整理ケースの上面に該嵌入凸部が嵌合可能な複数個の嵌入凹部を形成してなることを特徴とする組立式整理ケース。
【請求項３】
上記嵌入凸部は円筒凸部状に形成され、上記嵌入凹部は円形凹部状に形成されていることを特徴とする請求項１又は２記載の組立式整理ケース。
【請求項４】
上記引出体の前面下部に取手凹部を形成してなることを特徴とする請求項１〜３のいずれか１項に記載の組立式整理ケース。
【考案の詳細な説明】
【技術分野】
【０００１】
本考案は例えば日用品、玩具、小物類を整理する際に用いられる組立式整理ケースに関するものである。
【背景技術】
【０００２】
従来、この種の整理ケースとして、前面が開口した箱状に形成された合成樹脂製の外ケース体と外ケース体に引出収納自在に配置された合成樹脂製の引出体とからなる構造のものが知られている。
【特許文献１】実用新案登録第３０５８２８９号公報
【考案の開示】
【考案が解決しようとする課題】
【０００３】
しかしながら上記従来構造の場合、上記整理ケースを複数個積み重ね状に連結して使用することができず、それだけ、使用の融通性が低いという不都合を有している。
【課題を解決するための手段】
【０００４】
本考案はこれらの不都合を解決することを目的とするもので、本考案のうちで、請求項１記載の考案は、前面が開口した箱状に形成された合成樹脂製の外ケース体と該外ケース体に引出収納自在に配置された合成樹脂製の引出体とからなる複数個の整理ケースからなり、上記各整理ケースの上面に複数個の嵌入凸部を形成すると共に該各整理ケースの底面に該嵌入凸部が嵌合可能な複数個の嵌入凹部を形成してなることを特徴とする組立式整理ケースにある。
【０００５】
又、請求項２記載の考案は、前面が開口した箱状に形成された合成樹脂製の外ケース体と該外ケース体に引出収納自在に配置された合成樹脂製の引出体とからなる複数個の整理ケースからなり、上記各整理ケースの底面に複数個の嵌入凸部を形成すると共に該各整理ケースの上面に該嵌入凸部が嵌合可能な複数個の嵌入凹部を形成してなることを特徴とする組立式整理ケースにある。
【０００６】
又、請求項３記載の考案は、上記嵌入凸部は円筒凸部状に形成され、上記嵌入凹部は円形凹部状に形成されていることを特徴とするものであり、又、請求項４記載の考案は、上記引出体の前面下部に取手凹部を形成してなることを特徴とするものである。
【考案の効果】
【０００７】
本考案は上述の如く、請求項１又は２記載の考案にあっては、複数個の整理ケースを嵌入凸部と嵌入凹部との嵌合により上下複数段状に積み重ね連結して使用することができ、この積み重ねにより複数個の引出体を使用することができ、複数個の整理ケースを用意して積み重ね個数も自由に選択することができ、配置形態に応じて任意に整理ケースの積み重ね個数を選択することができ、それだけ使用の融通性を高めることができる。
【０００８】
又、請求項３記載の考案にあっては、上記嵌入凸部は円筒凸部に形成され、上記嵌入凹部は円形凹部に形成されているから、嵌入凸部と嵌入凹部との嵌合及び抜脱を容易に行うことができ、それだけ、使用の利便性を高めることができ、又、請求項４記載の考案にあっては、上記引出体の前面下部に取手凹部を形成してなるから、引出体の前面を平坦化することができ、使用の利便性を高めることができる。
【考案を実施するための最良の形態】
【０００９】
図１乃至図１５は本考案の実施の形態例を示し、図１乃至図７は第一形態例、図８、９は第二形態例、図１０、１１は第三形態例、図１２、１３は第四形態例、図１４、１５は第五形態例である。
【００１０】
図１乃至図７の本考案の実施の第一形態例において、１は整理ケースであって、前面が開口した箱状に形成された合成樹脂製の外ケース体２と外ケース体２に引出収納自在に配置された合成樹脂製の引出体３とからなり、この外ケース体２は、上面板、両側面板、後面板からなるケース２ａの底面に底面板２ｂを固着してなる横長の直方体状に形成され、この整理ケース１の上面に複数個の嵌入凸部４を形成すると共に整理ケース１の底面に嵌入凸部４が嵌合可能な複数個の嵌入凹部５を形成している。
【００１１】
この場合、上記整理ケース１の上面に円筒凸部状の８個の嵌入凸部４を形成すると共に整理ケース１の底面に８個の嵌入凸部４が嵌合可能な円形凹部状の８個の嵌入凹部５を形成している。
【００１２】
６は取手凹部であって、上記引出体３の前面下部に横直線状に一体的に形成されている。
【００１３】
この実施の第一形態例は上記構成であるから、図５、図６の如く、例えば、二個の整理ケース１・１を嵌入凸部４と嵌入凹部５との嵌合により上下二段状に積み重ね連結して使用することができ、この積み重ねにより二個の引出体３を使用することができ、複数個の整理ケース１を用意して積み重ね個数も自由に選択することができ、配置形態に応じて任意に整理ケース１の積み重ね個数を選択することができ、それだけ使用の融通性を高めることができる。
【００１４】
又、この場合、上記嵌入凸部４は円筒凸部に形成され、上記嵌入凹部５は円形凹部に形成されているから、嵌入凸部４と嵌入凹部５との嵌合及び抜脱を容易に行うことができ、それだけ、使用の利便性を高めることができ、又、この場合、上記引出体３の前面下部に取手凹部６を形成してなるから、引出体３の前面を平坦化することができ、使用の利便性を高めることができる。
【００１５】
図８、９の第二形態例は別例構造を示し、この場合、平面略正方形の立方体状の整理ケース１の上面に４個の嵌入凸部４を形成すると共に整理ケース１の底面に嵌入凸部４が嵌合可能な４個の嵌入凹部５を形成している。
【００１６】
図１０、１１の第三形態例は別例構造を示し、この場合、奥行きの長い縦長の直方体状の整理ケース１の上面に８個の嵌入凸部４を形成すると共に整理ケース１の底面に嵌入凸部４が嵌合可能な８個の嵌入凹部５を形成している。
【００１７】
図１２、１３の第四形態例は別例構造を示し、この場合、直方体状の整理ケース１の上面に１６個の嵌入凸部４を形成すると共に整理ケース１の底面に嵌入凸部４が嵌合可能な１２個の嵌入凹部５を形成し、中央部に４個の嵌入凸部４が位置可能な逃げ凹部７を形成している。
【００１８】
図１４、１５の第五形態例は別例構造を示し、この場合、直方体状の整理ケース１の上面に３２個の嵌入凸部４を形成すると共に整理ケース１の底面に嵌入凸部４が嵌合可能な２０個の嵌入凹部５を形成し、中央部に１２個の嵌入凸部４が位置可能な逃げ凹部７を形成し、整理ケース１の底面に８個のころ部材８を転動自在に設けて構成している。
【００１９】
尚、図示省略しているが、上記第一乃至第五形態例の嵌入凹部４及び嵌入凸部５を相互に上下反対の面に形成し、即ち、上記各整理ケース１の底面に複数個の嵌入凸部５を形成すると共に各整理ケース１の上面に嵌入凸部５が嵌合可能な複数個の嵌入凹部４を形成することもできる。
【００２０】
これら各々の形態例にあっても、上記第一形態例と同様な作用効果を得ることができる。
【００２１】
又、本考案は上記実施の形態例に限られるものではなく、整理ケースの形態や大きさ、引出体の形態や大きさ等は適宜変更して設計されるものである。
【００２２】
以上、所期の目的を充分達成することができる。
【図面の簡単な説明】
【００２３】
【図１】本考案の実施の第一形態例の全体斜視図である。
【図２】本考案の実施の第一形態例の分離斜視図である。
【図３】本考案の実施の第一形態例の底面斜視図である。
【図４】本考案の実施の第一形態例の底面図である。
【図５】本考案の実施の第一形態例の使用状態の斜視図である。
【図６】本考案の実施の第一形態例の使用状態の断面図である。
【図７】本考案の実施の第一形態例の使用状態の断面図である。
【図８】本考案の実施の第二形態例の全体斜視図である。
【図９】本考案の実施の第二形態例の底面図である。
【図１０】本考案の実施の第三形態例の全体斜視図である。
【図１１】本考案の実施の第三形態例の底面図である。
【図１２】本考案の実施の第四形態例の全体斜視図である。
【図１３】本考案の実施の第四形態例の底面図である。
【図１４】本考案の実施の第五形態例の全体斜視図である。
【図１５】本考案の実施の第五形態例の底面図である。
【符号の説明】
【００２４】
１    整理ケース
２    外ケース体
３    引出体
４    嵌入凸部
５    嵌入凹部
６    取手凹部
【図１】
0003110297.tif 000003
【図２】
0003110297.tif 000004
【図３】
0003110297.tif 000005
【図４】
0003110297.tif 000006
【図５】
0003110297.tif 000007
【図６】
0003110297.tif 000008
【図７】
0003110297.tif 000009
【図８】
0003110297.tif 000010
【図９】
0003110297.tif 000011
【図１０】
0003110297.tif 000012
【図１１】
0003110297.tif 000013
【図１２】
0003110297.tif 000014
【図１３】
0003110297.tif 000015
【図１４】
0003110297.tif 000016
【図１５】
0003110297.tif 000017